(57)【要約】      （修正有）【課題】測定箇所での位置情報と電波強度情報を関連付けることで、電波強度を可視化した計測結果を表示可能な手段を提供すること。【解決手段】医療施設用の電波強度モニタリングシステムは、識別信号受信手段２０、受信情報送信手段３０、医療用テレメータ信号送信手段４０を備えた測定台車で巡回する。測定箇所に設置した識別信号発信手段１０の識別信号を受信して得た位置情報および時刻情報と、医療用テレメータ信号送信手段４０から送信した医療用テレメータ信号に基づいて強度情報生成手段５０で求めた強度情報とを、蓄積手段６０で蓄積し、時刻情報によって紐付ける。蓄積した各データは、画面表示手段７０で、医療施設の建屋図面に、各測定箇所における医療用テレメータ信号の電波強度を可視化した第１の計測結果画面を表示することで、電波強度の弱いエリアを視覚的に判断可能とする。【選択図】図１
2020187534.tif 000002
【特許請求の範囲】
【請求項１】
医療施設での電波強度をモニタリングするためのシステムであって、
各測定箇所に設置してＢｅａｃｏｎＩＤからなる識別信号を発信する、識別信号発信手段と、
前記識別信号を受信する、識別信号受信手段と、
前記受信した識別信号と、該識別信号の受信時刻とを少なくとも含む受信情報を送信する、受信情報送信手段と、
医療用テレメータ信号を送信する、医療用テレメータ信号送信手段と、
前記医療用テレメータ信号を受信して、該医療用テレメータ信号の受信時刻における医療用テレメータ信号の強度情報を求める、強度情報生成手段と、
前記受信情報および医療用テレメータ信号の強度情報を受信して蓄積する、蓄積手段と、
蓄積した前記受信情報および医療用テレメータ信号の強度情報を用いて、医療施設の建屋図面に、各測定箇所における医療用テレメータ信号の電波強度を可視化した第１の計測結果画面を生成する、画面表示手段と、
を少なくとも具備することを特徴とする、
医療施設用の電波強度モニタリングシステム。
【請求項２】
前記識別信号受信手段および前記医療用テレメータ信号送信手段を、医療施設内を巡回可能な台車に搭載してあることを特徴とする、
請求項１に記載の医療施設用の電波強度モニタリングシステム。
【請求項３】
前記受信情報送信手段において、測定箇所毎に電波強度の閾値が予め設定されており、当該閾値を超えた電波強度の識別信号を受信した際に、前記受信情報を送信することを特徴とする、
請求項１または２に記載の、医療施設用の電波強度モニタリングシステム。
【請求項４】
前記受信情報に、複数の識別信号発信手段からそれぞれ受信した識別信号に基づいて推測された位置情報がさらに含まれていることを特徴とする、
請求項１乃至３のうち何れか１項に記載の、医療施設用の電波強度モニタリングシステム。
【請求項５】
少なくとも前記識別信号受信手段が静止しているか否かを検知可能な静止検知手段を更に具備することを特徴とする、
請求項１乃至４のうち何れか１項に記載の医療施設用の電波強度モニタリングシステム。
【請求項６】
医療施設での電波強度をモニタリングするためのシステムであって、
各測定箇所に設置してＢｅａｃｏｎＩＤからなる識別信号を発信する、識別信号発信手段と、
前記識別信号を受信する、識別信号受信手段と、
前記受信した識別信号と、該識別信号の受信時刻とを少なくとも含む受信情報を送信する、受信情報送信手段と、
医療施設に設置された無線ＬＡＮのアクセスポイントからの無線ＬＡＮ信号を受信する、無線ＬＡＮ信号受信手段と、
前記無線ＬＡＮ信号の受信時刻における無線ＬＡＮ信号の強度情報を求める、強度情報生成手段と、
前記受信情報および無線ＬＡＮ信号の強度情報を受信して蓄積する、蓄積手段と、
蓄積した前記受信情報および無線ＬＡＮ信号の強度情報を用いて、医療施設の建屋図面に、各測定箇所における無線ＬＡＮ信号の電波強度を可視化した第２の計測結果画面を生成する、画面表示手段と、
を少なくとも具備することを特徴とする、
医療施設用の電波強度モニタリングシステム。
【発明の詳細な説明】
【技術分野】
【０００１】
本発明は、医療施設などの各種の施設または現場において、医療用テレメータ、無線ＬＡＮ、その他の通信機器で使用する電波の強度をモニタリングするためのシステムに関する。
【背景技術】
【０００２】
近年、利便性やコスト削減などの観点から様々な機材のワイヤレス化が進んでいる。しかし、これらの電波を利用した通信機器（電波利用機器）が盛んに使用されることで、混信や干渉による通信速度の低下や通信停止などの不具合が発生している現状がある。
このような状況を改善するためには、通信機器を利用する場所の電磁環境の情報を把握し、不具合が発生しない環境を整える必要がある。
【０００３】
通信機器を利用する場所として、例えば医療機関内では、電子カルテシステムをはじめとする医療情報用無線ＬＡＮや、患者呼び出しシステム、医療用テレメータ、患者見守りシステム、業務用ＰＨＳや携帯電話など、非接触カードリーダによる入退室管理システムなど、施設のあらゆる場所で電波利用機器が使用されている。
一方で、これらの通信機器同士の電波干渉、電気設備や通信設備などから放射される電磁ノイズによって無線通信の不具合が発生している現状がある。医療ではこのような不具合が、患者の容態の変化を見逃しなどの事故につながる可能性があるため、医療施設内で電波利用機器を利用するすべてのエリアにおいて無線通信を確実に行える電波環境をつくる必要がある。
【０００４】
上記の必要性から、医療施設に設置された医療機器の管理や監視を行う発明として、以下の特許文献に記載の発明がある。
特許文献１に記載の発明は、医療機器に装着したＲＦＩＤタグと、当該ＲＦＩＤタグからのデータ受信時に別途計測した電波強度と、固有の中継器ＩＤデータとを転送する中継器と、これらの転送データから医療機器の位置と使用状況とを解析する情報処理装置を有して構成した、医療機器管理システムが開示されている。
特許文献２に記載の発明は、複数の医療機器からそれぞれ出力された稼働情報やアラート情報を、統一化されたフォーマットに変換したのち、監視サーバが変換データを用いて異常事象の判定を行い、判定結果に基づいて監視端末に対しアラーム出力を行う、医療器機監視システムが開示されている。
【先行技術文献】
【特許文献】
【０００５】
【特許文献１】特開２０１２−２７６２８号公報
【特許文献２】特開２０１８−１２４９１３号公報
【発明の概要】
【発明が解決しようとする課題】
【０００６】
しかし、上記特許文献に記載のシステムでは、以下の問題を有する。
（１）特許文献１に記載のシステムでは、位置情報の記録・管理が無い為、場所毎に電波強度の影響を自動的に記録することができない。
（２）特許文献２に記載のシステムでは、監視の対象となる装置の時間波形をモニタリングしているに過ぎず、場所の特定に関する情報を得ることができなかった。
【０００７】
本発明は、測定箇所での位置情報と電波強度情報を関連付けることで、電波強度を可視化した計測結果を表示可能な手段の提供を目的とする。
【課題を解決するための手段】
【０００８】
上記課題を解決すべくなされた本願の第１発明は、医療施設での電波強度をモニタリングするためのシステムであって、各測定箇所に設置してＢｅａｃｏｎＩＤからなる識別信号を発信する、識別信号発信手段と、前記識別信号を受信する、識別信号受信手段と、前記受信した識別信号と、該識別信号の受信時刻とを少なくとも含む受信情報を送信する、受信情報送信手段と、医療用テレメータ信号を送信する、医療用テレメータ信号送信手段と、前記医療用テレメータ信号を受信して、該医療用テレメータ信号の受信時刻における医療用テレメータ信号の強度情報を求める、強度情報生成手段と、前記受信情報および医療用テレメータ信号の強度情報を受信して蓄積する、蓄積手段と、蓄積した前記受信情報および医療用テレメータ信号の強度情報を用いて、医療施設の建屋図面に、各測定箇所における医療用テレメータ信号の電波強度を可視化した第１の計測結果画面を生成する、画面表示手段と、を少なくとも具備することを特徴とする。
また、本願の第２発明は、前記第１発明において、前記識別信号受信手段および前記医療用テレメータ信号送信手段を、医療施設内を巡回可能な台車に搭載してあることを特徴とする。
また、本願の第３発明は、前記第１発明または第２発明において、前記受信情報送信手段において、測定箇所毎に電波強度の閾値が予め設定されており、当該閾値を超えた電波強度の識別信号を受信した際に、前記受信情報を送信することを特徴とする。
また、本願の第４発明は、前記第１発明乃至第３発明のうち何れか１つの発明において、前記受信情報に、複数の識別信号発信手段からそれぞれ受信した識別信号に基づいて推測された位置情報がさらに含まれていることを特徴とする。
また、本願の第５発明は、前記第１発明乃至第４発明のうち何れか１つの発明において、少なくとも前記識別信号受信手段が静止しているか否かを検知可能な静止検知手段を更に具備することを特徴とする。
また、本願の第６発明は、医療施設での電波強度をモニタリングするためのシステムであって、各測定箇所に設置してＢｅａｃｏｎＩＤからなる識別信号を発信する、識別信号発信手段と、前記識別信号を受信する、識別信号受信手段と、前記受信した識別信号と、該識別信号の受信時刻とを少なくとも含む受信情報を送信する、受信情報送信手段と、医療施設に設置された無線ＬＡＮのアクセスポイントからの無線ＬＡＮ信号を受信する、無線ＬＡＮ信号受信手段と、前記無線ＬＡＮ信号の受信時刻における無線ＬＡＮ信号の強度情報を求める、強度情報生成手段と、前記受信情報および無線ＬＡＮ信号の強度情報を受信して蓄積する、蓄積手段と、蓄積した前記受信情報および無線ＬＡＮ信号の強度情報を用いて、医療施設の建屋図面に、各測定箇所における無線ＬＡＮ信号の電波強度を可視化した第２の計測結果画面を生成する、画面表示手段と、を少なくとも具備することを特徴とする。
【発明の効果】
【０００９】
本発明によれば、以下に記載する効果を奏する。
（１）ＢｅａｃｏｎＩＤからなる識別信号の受信によって得た測定箇所の位置情報および時刻情報と、識別信号の受信時における医療用テレメータ信号または無線ＬＡＮ信号の強度情報を紐付けることで、医療施設の建屋図面に、各測定箇所における医療用テレメータ信号または無線ＬＡＮ信号の電波強度を可視化した計測結果画面を生成することができ、電波強度の弱いエリアを視覚的に判断することができる。
（２）測定台車でもって医療施設内を巡回する作業のみで、自動的にデータの蓄積を行うことができ、測定作業が簡単である。
（３）測定箇所毎に電波強度の閾値を予め設定しておくことで、測定箇所の什器レイアウトなどの相違に伴う位置検出の誤差を小さくすることができる。
（４）蓄積する受信情報に、複数の識別信号発信手段からそれぞれ受信した識別信号に基づき推測した位置情報を含めることで、より細かく可視化した計測画面を表示することできる。
【図面の簡単な説明】
【００１０】
【図１】医療用テレメータ信号をモニタリングする場合の機能ブロック図。
【図２】無線ＬＡＮ信号をモニタリングする場合の機能ブロック図。
【図３】実施例１に係る電波強度モニタリングシステムの概略構成図。
【図４】第１の計測結果画面のイメージ図。
【図５】実施例２に係る電波強度モニタリングシステムの概略構成図。
【発明を実施するための形態】
【００１１】
本発明に係る医療施設用の電波強度モニタリングシステムの概要について、医療用テレメータ信号をモニタリングする場合（基本例１）と、無線ＬＡＮ信号をモニタリングする場合（基本例２）について、図１，２に示す機能ブロック図を参照しながら説明する。
【００１２】
［基本構成１］医療用テレメータ信号のモニタリング（図１）
＜１＞全体構成
図１に、医療用テレメータ信号をモニタリングする場合の電波強度モニタリングシステムの機能ブロック図を示す。
本構成に係る医療施設用の電波強度モニタリングシステムは、医療用テレメータの電波強度を求める手段として、識別信号発信手段１０、識別信号受信手段２０、受信情報送信手段３０、医療用テレメータ信号送信手段４０、強度情報生成手段５０、蓄積手段６０、画面表示手段７０、を少なくとも具備する。
また、医療施設内の無線ＬＡＮに用いる無線ＬＡＮ信号の強度を求める場合には、上記した医療用テレメータ信号送信手段４０に代えて、無線ＬＡＮ信号測定手段を具備する。
これらの各手段は、公知の測定機器や、ＰＣ、タブレット端末、スマートフォンなどの情報処理装置に各手段が受け持つ機能を実現するためのプログラムをインストールするなどして実現することができる。
また、各手段は、それぞれ独立した装置で構成しても良いし、１つの装置で複数の手段を兼用した構成としても良い。
以下、各手段の詳細について説明する。
【００１３】
＜２＞識別信号発信手段
識別信号発信手段１０は、各測定箇所Ｘに設置してＢｅａｃｏｎＩＤを含んだ信号（ＢＬＥ信号）を識別信号として発信するための手段である。
Ｂｅａｃｏｎ（ビーコン）は、低消費電力の近距離無線技術であるＢｌｕｅｔｏｏｔｈ（登録商標）  Ｌｏｗ  Ｅｎｅｒｇｙ（ＢＬＥ）を利用して位置特定を可能とする技術である。
識別信号発信手段１０は、このＢｅａｃｏｎ本体の識別情報（ＢｅａｃｏｎＩＤ）を含んだ信号（ＢＬＥ信号）の発信機に相当する。
【００１４】
＜３＞識別信号受信手段
識別信号受信手段２０は、少なくとも各測定箇所Ｘに設置された前記識別信号発信手段１０からの識別信号を受信するための手段である。
識別信号発信手段１０は、前記したＢＬＥ信号を受信可能な装置を利用するものとし、専用のＢｅａｃｏｎ受信機や、ＢＬＥ機能を備えるＰＣなどの情報処理装置や、タブレット、スマートフォンなどの携帯情報端末などを用いることができる。
【００１５】
＜４＞受信情報送信手段
受信情報送信手段３０は、識別信号受信手段２０で受信した識別信号と、該識別信号の受信時刻とを少なくとも含む受信情報を、後述する蓄積手段６０に送信するための手段である。
識別信号の受信時刻の情報は、識別信号にあらかじめ含んだ態様であってもよいし、識別信号受信手段２０で識別信号を受信した時刻であってもよい。
【００１６】
＜４．１＞位置情報の追加
受信情報送信手段３０は、受信した識別信号の電波強度から識別信号発信手段１０と識別信号受信手段２０との間の距離情報を推測して得た位置情報を、受信信号に含めることもできる。
識別信号（ＢＬＥ信号）を用いた位置検出や送信対象の検出には、以下の方法を採用することができる。
【００１７】
（方法１）識別信号の電波強度による距離換算
識別信号発信手段１０は、定期的に識別信号を発信しており、識別信号発信手段１０と識別信号受信手段２０との間の距離の長短によって、識別信号の電波強度が変動するため、受信した識別信号の電波強度の値で求められる、識別信号発信手段１０と識別信号受信手段２０との間の距離によって、識別信号受信手段２０の座標を特定する方法が考えられる
なお、識別信号（ＢＬＥ信号）の電波強度は逐一変化するため、強度を用いた距離換算を行う際に、識別信号を複数回受信し、それらの中から電波強度の代表値を求めた上で距離換算を行うと、検出精度の向上が期待できる。
【００１８】
（方法２）複数の識別信号発信手段１０からの電波強度による距離換算
各測定箇所Ｘに設置された識別信号発信手段１０同士が、比較的接近した関係にある場合、識別信号受信手段２０が、同時に複数の識別信号を受信する場合も考えられる。この場合、各識別信号発信手段１０に対し、前記した（方法１）による距離換算を行い、それぞれ求めた距離からより精度良く識別信号受信手段２０の座標を特定する方法が考えられる。
【００１９】
（方法３）電波強度の比較による選択
識別信号受信手段２０が複数の識別信号を受信している場合、識別信号受信手段２０は、各識別信号の電波強度から得られる距離情報を比較して、最も近い距離にある識別信号発信手段１０からの受信情報を、後述する受信情報送信手段３０での送信対象にする方法が考えられる。
【００２０】
（方法４）電波強度の閾値設定によるフィルタリング
各識別信号発信手段１０に対し、予め電波強度の閾値を設定しておき、当該閾値を超える電波強度で識別信号を受信した際に、識別信号受信手段２０が、対象の測定箇所Ｘがある場所に存在している状態とみなして、この状態で取得した受信情報を、後述する受信情報送信手段３０での送信対象にする方法が考えられる。
これは、異なる測定箇所Ｘ間において、識別信号発信手段１０と識別信号受信手段２０との距離が等長であっても、測定箇所Ｘでの什器レイアウトの違いなどによって、識別信号の電波強度が異なり、位置検出にも誤差が生ずる場合があるためである。
【００２１】
＜５＞医療用テレメータ信号送信手段
医療用テレメータ信号送信手段４０は、医療用テレメータ信号を送信するための手段である。
一般的に、医療用テレメータ信号は、各病室の入院患者から取得した心電図などの生体情報に関する信号であり、ナースステーションＹなどに設置したセントラルモニタＹ３（生体モニタ）へと送信するための信号であるが、本発明では上記信号に限定するものではなく、これらの信号に類する点検用の信号などを用いても良い。
医療用テレメータ信号送信手段４０は、一般的な医療用テレメータの送信機、すなわち、据え置き型や携帯型の医療機器に内蔵されているタイプや、これらの医療機器に別途外付けするタイプの医療用テレメータなどを用いることができる。
医療用テレメータ信号送信手段４０から送信されたテレメータ信号は、医療施設内に配線された通信ケーブルを通じて、強度情報生成手段５０へと送られる。
なお、本発明に係る医療用テレメータ信号を、ナースステーションＹなどに設置してあるセントラルモニタＹ３にも送る必要がある場合には、途中で信号を二つに分配して両者に送信するように構成してもよい。
【００２２】
＜６＞強度情報生成手段
強度情報生成手段５０は、医療用テレメータ信号送信手段４０からの医療用テレメータ信号を受信して、医療用テレメータ信号の強度情報を求めるための手段である。
強度情報生成手段５０は、スペクトラムアナライザＣと、スペクトラムアナライザＣで解析した情報を強度情報として蓄積手段６０へと送信可能な情報処理装置の組み合わせによって構成することができる。
【００２３】
＜７＞蓄積手段
蓄積手段６０は、受信情報送信手段３０からの受信情報および強度情報生成手段５０からの医療用テレメータ信号の強度情報を、受信・蓄積するための手段である。
蓄積手段６０は、医療施設内に設置されたサーバや、医療施設外に設置されたクラウドサーバに、データベースを組み込んだ装置を用いることができる。
【００２４】
＜８＞画面表示手段
画面表示手段７０は、蓄積手段６０で蓄積した受信情報および医療用テレメータ信号の強度情報を用いて、医療施設の建屋図面に、各測定箇所Ｘにおける医療用テレメータ信号の電波強度を可視化した画面（第１の計測結果画面）を生成するための手段である。
画面表示手段７０は、蓄積手段６０を設けた情報処理装置、または当該情報処理装置との間で情報の送受信が可能な外部端末などで動作するアプリケーションによって構成することができる。
【００２５】
＜８．１＞位置情報の利用態様
なお、画面表示手段７０で利用する位置情報は、蓄積手段６０で予め識別信号発信手段１０の位置情報をデータベース化している場合には、受信情報から得られる識別信号に紐付く位置情報を利用する方法や、蓄積手段６０で蓄積する受信情報に位置情報が含まれている場合には、当該位置情報を利用する方法がある。
【００２６】
［基本構成２］無線ＬＡＮ信号のモニタリング（図２）
＜１＞全体構成
図２に、無線ＬＡＮ信号をモニタリングする場合の電波強度モニタリングシステムの機能ブロック図を示す。
本構成に係る医療施設用の電波強度モニタリングシステムは、無線ＬＡＮに用いる無線ＬＡＮ信号の電波強度を求める手段として、識別信号発信手段１０、識別信号受信手段２０、無線ＬＡＮ信号受信手段８０、強度情報生成手段５０、測定情報送信手段、蓄積手段６０、画面表示手段７０、を少なくとも具備する。
これらの各手段は、公知の測定機器や、ＰＣ、タブレット端末、スマートフォンなどの情報処理装置に各手段が受け持つ機能を実現するためのプログラムをインストールするなどして実現することができる。
また、各手段は、それぞれ独立した装置で構成しても良いし、１つの装置で複数の手段を兼用した構成としても良い。
識別信号発信手段１０、識別信号受信手段２０および測定情報送信手段については、前記した基本例１で説明した内容と同一であるため、詳細な説明を省略する。
以下、その他の各手段の詳細について説明する。
【００２７】
＜２＞無線ＬＡＮ信号受信手段
無線ＬＡＮ信号受信手段８０は、医療施設に設置された無線ＬＡＮのアクセスポイントからの無線ＬＡＮ信号を受信するための手段である。
無線ＬＡＮ信号受信手段８０は、ＰＣやタブレット、スマートフォンなどの情報処理装置に設けた無線ＬＡＮインターフェースを用いることができる。
【００２８】
＜３＞強度情報生成手段
強度情報生成手段５０は、前記無線ＬＡＮ信号受信手段８０で受信した無線ＬＡＮ信号について、受信時刻における無線ＬＡＮ信号の強度情報を求めるための手段である。
強度情報生成手段５０は、ＰＣやタブレット、スマートフォンなどの情報処理装置にインストールした解析ソフトなどを用いることができる。
【００２９】
＜４＞蓄積手段
蓄積手段６０は、受信情報送信手段３０から送信された受信情報および強度情報生成手段５０から送信された無線ＬＡＮ信号の強度情報を受信して蓄積するための手段である。
蓄積手段６０には、医療施設内に設置されたサーバＥや、医療施設外に設置されたクラウドサーバＥに、データベースを組み込んだ装置を用いることができる。
【００３０】
＜５＞画面表示手段
画面表示手段７０は、蓄積手段６０で蓄積した受信情報および無線ＬＡＮ信号の強度情報を用いて、医療施設の建屋図面に、各測定箇所Ｘにおける無線ＬＡＮ信号の電波強度を可視化した画面（第２の計測結果画面）を生成するための手段である。
画面表示手段７０は、蓄積手段６０を設けた情報処理装置上または、当該情報処理装置との間で情報の送受信が可能な外部端末で動作するアプリケーションによって構成することができる。
【００３１】
上記した基本構成に示す各手段を適宜組み合わせて構成した、医療施設用の電波強度モニタリングシステムの実施例について、以下説明する。
【実施例１】
【００３２】
＜１＞全体構成（図３）
図３に、医療用テレメータ信号のモニタリングシステムの構成図を示す。
本実施例では、前記基本構成１に示した各手段を、Ｂｅａｃｏｎ発信機Ａと、測定台車Ｂと、スペクトラムアナライザＣと、施設内端末Ｄと、サーバＥと、閲覧用端末Ｆと、に分けて構成している。
【００３３】
＜２＞Ｂｅａｃｏｎ発信機
Ｂｅａｃｏｎ発信機Ａは、医療施設内の各部屋や廊下などの測定箇所Ｘに設置する装置であり、前記した識別信号発信手段１０に相当する装置である。
【００３４】
＜３＞測定台車
測定台車Ｂは、各測定箇所Ｘを巡回して、Ｂｅａｃｏｎ発信機Ａからの識別信号Ａ１の受信と、巡回場所での医療用テレメータ信号Ｂ３の送信を行う装置である。
測定台車Ｂは、台車本体に、ＢＬＥ機能と通信機能を備えた情報処理端末Ｂ１と、テレメータ発信機Ｂ２を搭載して構成する。
【００３５】
本実施例では、情報処理端末Ｂ１を、ＩｏＴ機器として使用される小型のシングルボードコンピュータに、モバイルバッテリーなどの電源供給装置（図示せず）と、モバイルルータなどの通信装置（図示せず）を接続して構成している。
この情報処理端末Ｂ１が、前記した識別信号受信手段２０および受信情報送信手段３０に相当する。
【００３６】
また、テレメータ発信機Ｂ２は、医療施設の職員が携帯する携帯型の装置を用いており、前記した医療用テレメータ信号送信手段４０に相当する。
発信した医療用テレメータ信号Ｂ３は、医療施設に予め配線してあるアンテナケーブルＸ１を通じて、ナースステーションＹのアンテナコンセントＹ１へと送られ、分配器Ｙ２によってセントラルモニタＹ３とスペクトラムアナライザＣの両方に分配されている。
【００３７】
＜３．１＞静止検知手段の追加
本実施例では、さらに、測定台車Ｂを構成する情報処理端末Ｂ１に三軸加速度センサなどを用いた静止検知手段（図示せず）を設けておき、測定台車Ｂが静止中（すなわち識別信号受信手段２０が静止中）である場合に測定作業を実施するか、あるいは静止中に取得した結果のみを測定結果としてフィルタリングする構成としている。
これは、測定台車Ｂが走行中の状態にＢｅａｃｏｎ発信機Ａからの識別信号Ａ１の受信作業を行うと、各手段で行う情報処理による遅延等によって測位誤差が生じやすいためである。
【００３８】
＜４＞スペクトラムアナライザおよび施設内端末
スペクトラムアナライザＣは、テレメータ発信機Ｂ２から送信された医療用テレメータ信号Ｂ３の電波解析を行う装置であり、公知の装置を用いることができる。
施設内端末Ｄは、スペクトラムアナライザＣによる解析結果に基づく医療用テレメータ信号Ｂ３の強度情報をサーバＥに送信する装置であり、施設内端末ＤをスペクトラムアナライザＣとの接続インターフェースを有するＰＣで構成している。
従って、本実施例におけるスペクトラムアナライザＣおよび施設内端末Ｄは、前記した強度情報生成手段５０に相当する。
【００３９】
＜５＞サーバ
サーバＥは、測定台車Ｂに搭載した情報処理端末Ｂ１から送信される受信情報と、施設内端末Ｄから送信される医療用テレメータ信号Ｂ３の強度情報を受信して蓄積する装置であり、後述する閲覧用端末Ｆの求めに応じて、各測定箇所Ｘにおける医療用テレメータ信号Ｂ３の電波強度を可視化した第１の計測結果画面を閲覧用端末Ｆのディスプレイに表示する装置である。
従って、本実施例におけるサーバＥは、前記した蓄積手段６０および画面表示手段７０に相当する。
本実施例では、サーバＥに、医療施設外のデータセンターに設置してあるクラウド型のサーバを用いている。
【００４０】
＜６＞閲覧用端末
閲覧用端末Ｆは、サーバＥに蓄積されている受信情報および強度情報に基づいて各測定箇所Ｘにおける医療用テレメータ信号Ｂ３の電波強度を可視化した第１の計測結果画面を閲覧するための端末である。
閲覧用端末Ｆは、ＰＣ、タブレット端末、スマートフォンなどの公知の情報処理装置を用いることができる。
閲覧用端末Ｆは、医療施設の担当職員や、医療施設から委託された設備管理業者などが使用する端末を想定する。
【００４１】
＜７＞使用手順の一例
上記構成における電波強度のモニタリング方法の一例について説明する。
【００４２】
（１）事前準備
Ｂｅａｃｏｎ発信機Ａを医療施設内の各所に設置し、Ｂｅａｃｏｎ発信機Ａの識別情報と設置箇所を、サーバＥのデータベース上で紐づけておく。
【００４３】
（２）測定台車による巡回
測定台車Ｂを、Ｂｅａｃｏｎ発信機Ａを設置した各所に移動させ、静止検知手段によって測定台車Ｂが静止中であることを確認してから測定作業を行う。
測定台車Ｂに搭載した情報処理装置は、Ｂｅａｃｏｎ発信機Ａから受信した識別信号Ａ１と、該識別信号Ａ１の受信時刻を、モバイルルータを介してサーバＥに送信する。
さらに、測定台車Ｂに搭載したテレメータ発信機Ｂ２から医療用テレメータ信号Ｂ３を送信し、医療施設に予め配線してあるアンテナケーブルＸ１を通じて、ナースステーションＹ内のアンテナコンセントＹ１を介して、スペクトラムアナライザＣへと送られる。
【００４４】
（３）医療用テレメータ信号の強度情報の蓄積
スペクトラムアナライザＣと接続してある施設内端末Ｄでは、医療用テレメータ信号Ｂ３の受信時刻および強度情報をサーバＥに送信する。
【００４５】
（４）計測結果の可視化（図４）
サーバＥでは、識別信号Ａ１と該識別信号Ａ１の受信時刻、および医療用テレメータ信号Ｂ３の受信時刻および強度情報が蓄積されている。
これらの情報を時刻で紐付けることによって、測定箇所Ｘ毎の医療用テレメータ信号Ｂ３の強度情報を可視化した画面（第１の計測結果画面）を生成・表示し、閲覧用端末Ｆでの閲覧を可能とする。
図４（ａ）は、第１の計測結果画面の基礎となる医療施設の建屋図面に、Ｂｅａｃｏｎ発信機Ａの設置位置を表した図面である。
本図では、医療施設の建屋図面Ｚに示す廊下部分において、所定間隔を空けてＢｅａｃｏｎ発信機Ａが設置されている状態を、設置位置にそれぞれ番号を付したマークＺ１で表している。
図４（ｂ）は、第１の計測結果画面Ｚ２のイメージ図であり、図４（ａ）で表した建屋図面のデータに、各測定箇所Ｘの周辺領域毎に医療用テレメータ信号Ｂ３の電波強度を色分けして表示している。
この第１の計測結果画面Ｚ２によれば、電波強度の弱い場所を視覚的に把握することができ、対策を施す際の参考にすることができる。
【実施例２】
【００４６】
＜１＞全体構成（図５）
図５に、無線ＬＡＮ信号のモニタリングシステムの構成図を示す。
本実施例では、基本構成２に示す各手段を、Ｂｅａｃｏｎ発信機Ａと、測定台車Ｂと、サーバＥと、閲覧用端末Ｆに分けて構成している。
Ｂｅａｃｏｎ発信機Ａは、前記した実施例１で説明した内容と同一であるため、詳細な説明を省略する。
【００４７】
＜２＞測定台車
測定台車Ｂは、各測定箇所Ｘを巡回して、Ｂｅａｃｏｎ発信機Ａからの識別信号Ａ１の受信と、巡回場所での無線ＬＡＮ信号Ｇ１の受信と強度測定を行う装置である。
測定台車Ｂは、台車本体に、ＢＬＥ機能、無線ＬＡＮモジュール、ＷｉＦｉアナライザ機能、および通信機能を備えた情報処理端末Ｂ１を搭載して構成する。
【００４８】
本実施例では、情報処理端末Ｂ１を、ＩｏＴ機器として使用される小型のシングルボードコンピュータに、モバイルバッテリーなどの電源供給装置と、モバイルルータなどの通信装置を接続して構成している。この情報処理端末Ｂ１が、前記した識別信号受信手段２０、無線ＬＡＮ信号受信手段８０、および強度情報生成手段５０に相当する。
【００４９】
＜３＞サーバ
サーバＥは、測定台車Ｂに搭載した情報処理端末Ｂ１から送信される受信情報および無線ＬＡＮ信号Ｇ１の強度情報を受信して蓄積する装置であり、後述する閲覧用端末Ｆの求めに応じて、各測定箇所Ｘにおける無線ＬＡＮ信号Ｇ１の電波強度を可視化した第２の計測結果画面を閲覧用端末Ｆのディスプレイに表示する装置である。
従って、本実施例におけるサーバＥは、前記した蓄積手段６０および画面表示手段７０に相当する。
本実施例では、サーバＥに、医療施設外のデータセンターに設置してあるクラウド型のサーバＥを用いている。
【００５０】
＜４＞閲覧用端末
閲覧用端末Ｆは、サーバＥに蓄積されている受信情報および強度情報に基づいて各測定箇所Ｘにおける医療用テレメータ信号Ｂ３の電波強度を可視化した第２の計測結果画面を閲覧するための端末である。
閲覧用端末Ｆは、ＰＣ、タブレット端末、スマートフォンなどの公知の情報処理装置を用いることができる。
閲覧用端末Ｆは、医療施設の担当職員や、医療施設から委託された設備管理業者などが使用する端末を想定する。
【００５１】
＜５＞使用手順の一例
上記構成における電波強度のモニタリング方法の手順について説明する。
【００５２】
（１）事前準備
Ｂｅａｃｏｎ発信機Ａを医療施設内の各所に設置し、Ｂｅａｃｏｎ発信機Ａの識別情報と設置箇所を、サーバＥのデータベース上で紐づけておく。
【００５３】
（２）測定台車による巡回
測定台車Ｂを、Ｂｅａｃｏｎ発信機Ａを設置した各所に移動させ、静止検知手段によって測定台車Ｂが静止中であることを確認してから測定作業を行う。
測定台車Ｂに搭載した情報処理装置は、Ｂｅａｃｏｎ発信機Ａから受信した識別信号Ａ１と該識別信号Ａ１の受信時刻、ならびに周囲の無線ＬＡＮ機器から受信した無線ＬＡＮ信号Ｇ１の強度情報を、モバイルルータを介してサーバＥに送信する。
【００５４】
（３）計測結果の可視化
サーバＥでは、識別信号Ａ１と該識別信号Ａ１の受信時刻、および無線ＬＡＮ信号Ｇ１の受信時刻および強度情報が蓄積されている。
これらの情報を時刻で紐付けることによって、測定箇所Ｘ毎の無線ＬＡＮ信号Ｇ１の強度情報を可視化した画面（第２の計測結果画面）を生成・表示し、閲覧用端末Ｆでの閲覧を可能とする。
第２の計測結果画面のイメージは、前記した実施例１における第１の計測結果画面と同じように、医療施設の建屋図面に、各測定箇所Ｘにおける無線ＬＡＮ信号Ｇ１の電波強度を各測定箇所Ｘの周辺領域毎に色分けして表示近似したものとすればよく、図示を省略する。
この第２の計測結果画面によれば、無線ＬＡＮの電波強度の弱い場所を視覚的に把握することができ、対策を施す際の参考にすることができる。
また、無線ＬＡＮ情報を取得した日時も記録しておけば、時系的な変化を確認することができる。
さらに、これらの通信モジュールを設けた情報処理装置では、周囲にあるその他の無線ＬＡＮ機器の使用チャネルやＭＡＣアドレス等の情報を取得することができるため、医療情報用の無線ＬＡＮ通信の妨げとなる無線ＬＡＮ機器の存在をモニタすることもできる。
【実施例３】
【００５５】
本発明に係る医療施設用の電波強度モニタリングシステムは、実施例１，２に係る構成を全て具備して、医療用テレメータ信号と無線ＬＡＮ信号の電波強度を同時にモニタリングするよう構成してもよい。
また、その他の通信装置（携帯電話やＰＨＳ等の音声・データ通信機器など）をモニタリングできるデバイスを別途測定台車Ｂに取り付けることで、位置情報付きの複数の電波環境測定も可能となる。
【符号の説明】
【００５６】
１０  識別信号発信手段
２０  識別信号受信手段
３０  受信情報送信手段
４０  医療用テレメータ信号送信手段
５０  強度情報生成手段
６０  蓄積手段
７０  画面表示手段
８０  無線ＬＡＮ信号受信手段
Ａ    Ｂｅａｃｏｎ発信機
Ａ１  識別信号
Ｂ    測定台車
Ｂ１  情報処理端末
Ｂ２  テレメータ発信機
Ｂ３  医療用テレメータ信号
Ｃ    スペクトラムアナライザ
Ｄ    施設内端末
Ｅ    サーバ
Ｆ    閲覧用端末
Ｇ    アクセスポイント
Ｇ１  無線ＬＡＮ信号
Ｘ    測定箇所
Ｘ１  アンテナケーブル
Ｙ    ナースステーション
Ｙ１  アンテナコンセント
Ｙ２  分配器
Ｙ３  セントラルモニタ
Ｚ    建屋図面
Ｚ１  マーク
Ｚ２  第１の計測結果画面
【図１】
2020187534.tif 000003
【図２】
2020187534.tif 000004
【図３】
2020187534.tif 000005
【図４】
2020187534.tif 000006
【図５】
2020187534.tif 000007